(57)【要約】【課題】  ４相の活線側接続部位を容易且つ確実に短絡させることができる短絡用治具を提供する。【解決手段】  縦方向に並ぶ２相の活線側接続部位に挿入されるＵ字型のＵ字部材４５を２つ備え、Ｕ字部材４５の反開口部４５ａ同士が連結材４６で連結された板状に形成され、反開口部４５ａ同士で互いに連結されたＵ字部材４５を４相の活線側接続部位に上から挿入することにより、４相の活線側接続部位を短絡させ、４相の活線側接続部位を容易且つ確実に短絡させる。【選択図】      図７
2006074855.tif 000002
【特許請求の範囲】
【請求項１】
電源側端子に接続される電源側導体及び電流計側端子に接続される電流計側導体を有し、電源側導体と電流計側導体とが常時には接続された端子部材を備えた電流計回路に用いられるテストプラグの短絡用治具であって、
テストプラグには、
端子部材の電源側導体と電流計側導体との間に挿入されることで電源側導体と電流計側導体とを電気的に非接続状態にする挿入部が備えられ、
挿入部が電源側導体と電流計側導体との間に挿入された際に、電流計側導体に接続される非活線側導体と、
挿入部が電源側導体と電流計側導体との間に挿入された際に、電源側導体に接続される活線側導体とが備えられ、
非活線側導体には外部回路に接続される非活線側接続部位がそれぞれ設けられると共に、活線側導体には外部回路に接続される活線側接続部位がそれぞれ設けられ、
活線側接続部位は電源の相に応じて複数設けられ、
短絡用治具は、
複数の活線側接続部位のそれぞれに接触して複数の活線側接続部位を短絡させる導電体製の一つの短絡部材からなることを特徴とする短絡用治具。
【請求項２】
請求項１において、一つの短絡部材は、複数の活線側接続部位に挿入されるＵ字型のＵ字部材を複数備え、Ｕ字部材の反開口部同士が連結された板状に形成されていることを特徴とする短絡用治具。
【請求項３】
請求項１において、一つの短絡部材は、複数の活線側接続部位に挿入されるＵ字型のＵ字部材を複数備え、Ｕ字部材の開口部と反開口部が連結された板状に形成されていることを特徴とする短絡用治具。
【請求項４】
請求項１において、一つの短絡部材は、同一平面内で放射状に延びる連結棒材を備え、複数の活線側接続部位にそれぞれ嵌合する嵌合部が連結棒材の先端にそれぞれ設けられた板状に形成されていることを特徴とする短絡用治具。
【請求項５】
請求項１において、一つの短絡部材は、一枚の板部材を備え、板部材には複数の活線側接続部位が貫通する貫通穴が設けられ、板部材を面内で移動させることによりそれぞれの貫通穴の内縁が活線側接続部位に接触することを特徴とする短絡用治具。
【請求項６】
請求項１において、一つの短絡部材は、複数の棒材を備え、棒材の端部同士が互いに回動自在に接続され、複数の活線側接続部位の位置に端部同士の接続部を位置させて活線側接続部位の間に棒材が配される状態に棒材同士を回動させることを特徴とする短絡用治具。
【請求項７】
請求項１において、一つの短絡部材は、導電部材が周状に連続した連続部材で構成され、複数の活線側接続部位に亘り連続部材を掛け渡すことを特徴とする短絡用治具。
【請求項８】
請求項７において、連続部材は活線側接続部位にそれぞれ嵌合する複数の導電体で構成され、複数の導電体は周方向に伸縮する保持環によって複数の活線側接続部位にそれぞれ当接されて周状に連続した状態にされることを特徴とする短絡用治具。
【請求項９】
請求項７において、連続部材は周状の導電体が周方向に弾性変形するように構成されたことを特徴とする短絡用治具。
【発明の詳細な説明】
【技術分野】
【０００１】
本発明は、配電盤などに設けられているテスト端子に嵌合させる電流用のテストプラグの短絡を行う短絡用治具に関する。
【背景技術】
【０００２】
例えば、配電盤には電源側装置の電源側導体と、電流計の電流計側導体とを備えたテスト端子が設けられている。通常時、電源側導体と電流計側導体とは電気的に接続された状態にあり、電源側導体からの電力により電流計が作動している。電流計の試験等を行う場合、テスト端子にテストプラグのプラグ部を挿入嵌合して電源側導体と電流計側導体とを電気的に非接触状態にし、電源側装置の拘束を受けない状態で検査用電源から電流計に電力を供給する。
【０００３】
テストプラグのプラグ部には、電源側導体に接続される活線側嵌合部（活線側導体）と、電流計側導体に接続される非活線側嵌合部（非活線側導体）とが備えられている。テストプラグの端子部には、活線側嵌合部につながる活線側接続部位と、非活線側嵌合部につながる非活線側接続部位とが設けられ、電流計の試験等を行う場合、端子部の非活線側接続部位から電力を供給している（例えば、特許文献１参照）。
【０００４】
配電盤における電流計は、例えば、３相構造であり、配電盤には接地相を含めて４相のテスト端子が設けられ、テストプラグも４相に対応して非活線側接続部位が４つ設けられている。電流計の試験を行う場合、回路が開放状態であると高電圧が発生するため、４相に対応したテストプラグの活線側接続部位を短絡させる必要がある。このため、４相に対応したテストプラグの場合、金属製の３本の短絡バーを用いて４箇所の活線側接続部位を互いに接続状態にしている。
【０００５】
従来は、３本の短絡バーを用いているので、一つのテストプラグに対応して複数（３本）の短絡バーを準備する必要があり、取り付けに際しても端子への締め付け作業等に時間がかかっているのが現状であった。また、いくつもの締め付け作業を必要としているため、万一緩みなどが生じるとテスト中に短絡バーが脱落するなどの虞があった。テスト中に短絡バーが脱落して短絡が不十分になると、回路の破損等につながる虞があるので、短絡バーの取り付けには全ての短絡バーに対して十分な配慮を必要としていた。
【０００６】
【特許文献１】実用新案登録第３０８１８４５号公報
【発明の開示】
【発明が解決しようとする課題】
【０００７】
本発明は上述した事情に鑑みてなされたもので、電流回路に使用されるテストプラグの複数の活線側接続部位を簡単にしかも確実に短絡させることができる短絡用治具を提供することを目的とする。
【課題を解決するための手段】
【０００８】
上記課題を解決する本発明の第１の態様は、電源側端子に接続される電源側導体及び電流計側端子に接続される電流計側導体を有し、電源側導体と電流計側導体とが常時には接続された端子部材を備えた電流計回路に用いられるテストプラグの短絡用治具であって、テストプラグには、端子部材の電源側導体と電流計側導体との間に挿入されることで電源側導体と電流計側導体とを電気的に非接続状態にする挿入部が備えられ、挿入部が電源側導体と電流計側導体との間に挿入された際に、電流計側導体に接続される非活線側導体と、挿入部が電源側導体と電流計側導体との間に挿入された際に、電源側導体に接続される活線側導体とが備えられ、非活線側導体には外部回路に接続される非活線側接続部位がそれぞれ設けられると共に、活線側導体には外部回路に接続される活線側接続部位がそれぞれ設けられ、活線側接続部位は電源の相に応じて複数設けられ、短絡用治具は、複数の活線側接続部位のそれぞれに接触して複数の活線側接続部位を短絡させる導電体製の一つの短絡部材からなることを特徴とする短絡用治具にある。
【０００９】
かかる第１の態様では、短絡用治具が一つの短絡部材からなるので、短絡用治具一つで複数相の活線側接続部位を短絡させることができ、緩みなどにより落下する虞がない。このため、電流回路に使用されるテストプラグの複数の活線側接続部位を簡単にしかも確実に短絡させることができる短絡用治具となる。
【００１０】
本発明の第２の態様は、第１の態様において、一つの短絡部材は、複数の活線側接続部位に挿入されるＵ字型のＵ字部材を複数備え、Ｕ字部材の反開口部同士が連結された板状に形成されていることを特徴とする短絡用治具にある。
【００１１】
かかる第２の態様では、反開口部同士で互いに連結されたＵ字部材を複数の活線側接続部位に上から挿入することにより、複数の活線側接続部位を容易且つ確実に短絡させることが可能になる。
【００１２】
本発明の第３の態様は、第１の態様において、一つの短絡部材は、複数の活線側接続部位に挿入されるＵ字型のＵ字部材を複数備え、Ｕ字部材の開口部と反開口部が連結された板状に形成されていることを特徴とする短絡用治具にある。
【００１３】
かかる第３の態様では、開口部と反開口部で互いに連結されたＵ字部材を複数の活線側接続部位に上から挿入することにより、複数の活線側接続部位を位置の誤差を吸収しやすい状態で容易且つ確実に短絡させることが可能になる。
【００１４】
本発明の第４の態様は、第１の態様において、一つの短絡部材は、同一平面内で放射状に延びる連結棒材を備え、複数の活線側接続部位にそれぞれ嵌合する嵌合部が連結棒材の先端にそれぞれ設けられた板状に形成されていることを特徴とする短絡用治具にある。
【００１５】
かかる第４の態様では、連結棒材を回動させることにより嵌合部を一斉に複数の活線側接続部位に嵌合させることにより、複数の活線側接続部位を容易且つ確実に短絡させることが可能になる。しかも、連結棒材を回動させることにより嵌合部を一斉に複数の活線側接続部位から離すことができる。
【００１６】
本発明の第５の態様は、第１の態様において、一つの短絡部材は、一枚の板部材を備え、板部材には複数の活線側接続部位が貫通する貫通穴が設けられ、板部材を面内で移動させることによりにそれぞれの貫通穴の内縁が活線側接続部位に接触することを特徴とする短絡用治具にある。
【００１７】
かかる第５の態様では、板部材を移動させて貫通穴を複数の活線側接続部位に接触させることにより複数の活線側接続部位を極めて容易に且つ確実に短絡させることが可能になる。
【００１８】
本発明の第６の態様は、第１の態様において、一つの短絡部材は、複数の棒材を備え、棒材の端部同士が互いに回動自在に接続され、複数の活線側接続部位の位置に端部同士の接続部を位置させて活線側接続部位の間に棒材が配される状態に棒材同士を回動させることを特徴とする短絡用治具にある。
【００１９】
かかる第６の態様では、棒材同士を回動させることにより、複数の活線側接続部位を容易に且つ確実に短絡させることが可能になる。
【００２０】
本発明の第７の態様は、第１の態様において、一つの短絡部材は、導電部材が周状に連続した連続部材で構成され、複数の活線側接続部位に亘り連続部材を掛け渡すことを特徴とする短絡用治具にある。
【００２１】
かかる第７の態様では、連続部材を掛け渡すことにより、複数の活線側接続部位を容易に且つ確実に短絡させることが可能になる。
【００２２】
本発明の第８の態様は、第７の態様において、連続部材は活線側接続部位にそれぞれ嵌合する複数の導電体で構成され、複数の導電体は周方向に伸縮する保持環によって複数の活線側接続部位にそれぞれ当接されて周状に連続した状態にされることを特徴とする短絡用治具にある。
【００２３】
かかる第８の態様では、保持環によって複数の導電体を連続状態にして活線側接続部位にそれぞれ当接させることにより、複数の活線側接続部位を容易に且つ確実に短絡させることが可能になる。
【００２４】
本発明の第９の態様は、第７の態様において、連続部材は周状の導電体が周方向に弾性変形するように構成されたことを特徴とする短絡用治具にある。
【００２５】
かかる第９の態様では、周状の導電体を弾性変形させて活線側接続部位にそれぞれ当接させることにより、複数の活線側接続部位を容易に且つ確実に短絡させることが可能になる。
【発明の効果】
【００２６】
本発明によれば、複数の活線側接続部位を容易に且つ確実に短絡させることができる短絡用治具を提供することが可能になる。
【発明を実施するための最良の形態】
【００２７】
以下に本発明を実施形態に基づいて詳細に説明する。
【００２８】
図１乃至図４に基づいて本発明の短絡用治具が用いられるテストプラグ及びテストプラグが装着される配電盤のテスト端子部を説明する。図１にはテストプラグが装着される前の状態の全体構成を表す断面、図２にはテストプラグが装着されている状態の全体構成を表す断面、図３にはテストプラグの平面視、図４にはテストプラグの正面視を示してある。また、図５には電流回路の概略系統を示してある。
【００２９】
図１、図２に基づいて配電盤１のテスト端子１１を説明する。
テスト端子１１は絶縁体部材１０で構成され、電流計２が接続される電流計側端子３が絶縁体部材１０に設けられると共に、電源側装置４が接続される電源側端子５が絶縁体部材１０に設けられている。絶縁体部材１０には電流計側導体６及び電源側導体７が設けられ、電流計側導体６は電流計側端子３に接続され、電源側導体７は電源側端子５に接続されている。そして、電流計側導体６と電源側導体７はテスト端子１１内で導体の弾性力により常時は当接した状態にされている。配電盤１には複数個（例えば、４個）のテスト端子１１が並列に備えられ、複数相（４相）で構成される電流計２が接続されている。
【００３０】
テスト端子１１の電流計側導体６と電源側導体７の間に後述するテストプラグの挿入部が挿入されることで、図２に示すように、電流計側導体６と電源側導体７が弾性力に抗して非接触状態にされて電流計２と電源側装置４の電気的接続が無関係となる。
【００３１】
図１乃至図４に基づいてテストプラグ２１を説明する。
支持体２２の前面側に複数（例えば、４個）のプラグ側端子部２３が縦横に並んだ状態で設けられ、支持体２２の後面側には各プラグ側端子部２３に対応して挿入部２４が並列に備えられている。
【００３２】
挿入部２４は、板状の絶縁部２５の上側に非活線側導体２６が設けられ、絶縁部２５の下側に活線側導体２７が設けられている。非活線側導体２６と活線側導体２７とは絶縁された状態で絶縁部２５に設けられ、これらが支持体２２に一体に支持されている。挿入部２４が電流計側導体６と電源側導体７との間に挿入されると、電流計側導体６が非活線側導体２６に接続されると共に、電源側導体７が活線側導体２７に接続される。
【００３３】
非活線側導体２６及び活線側導体２７の外部回路への接続を可能にするため、非活線側導体２６及び活線側導体２７の他端部は支持体２２の前面側に延びて設けられ、プラグ側端子部２３が構成されている。
【００３４】
非活線側導体２６の前面側は軸状の非活線側接続部位３１とされ、活線側導体２７の前面側は非活線側接続部位３１の外周囲を囲む状態の活線側接続部位３２とされ、非活線側接続部位３１が前面側に突出している。非活線側接続部位３１の先端にはナット３３が螺合され、活線側導体２７の外周にはナット３４が螺合され、更に、活線側導体２７の先端部位（ナット３３とナット３４の間）における非活線側接続部位３１の外周にはナット３５が螺合されている。ナット３３とナット３５の間における非活線側接続部位３１に外部回路（検査用電源）３６が接続され、ナット３４とナット３５の間における活線側導体２７に図示しない外部回路が接続される。
【００３５】
図５に示すように、配電盤１の電流計側系統とテストプラグ２１との回路系統は、３相の電流計側導体６がそれぞれ電流計２の一端に接続され、１相の電流計側導体６及び電流計２の他端が接地８側に接続されている。
【００３６】
検査等を行わない場合、テストプラグ２１がテスト端子１１に嵌合されず（図１の状態）、電源側導体７と電流計側導体６とが接続されて電源側装置４からの電力により電流計２が動作する。
【００３７】
検査等を実施する場合、テストプラグ２１の挿入部２４をテスト端子１１に挿入する（図２の状態）。挿入部２４をテスト端子１１に挿入することで、挿入部２４が電流計側導体６と電源側導体７との間に挿入され、電流計側導体６が非活線側導体２６に接続されると共に、電源側導体７が活線側導体２７に接続される。つまり、電流計側導体６と電源側導体７が非接触状態にされて電流計２と電源側装置４の電気的接続が無関係となる。
【００３８】
この状態で、検査用電源３６をプラグ側端子部２３のナット３３とナット３５の間における非活線側接続部位３１に接続する。これにより、検査用電源３６が非活線側導体２６及び電流計側導体６を通して電流計２に電気的に接続され、電流計２の電流検査が実施される。
【００３９】
このとき、４相の活線側接続部位３２が開放されていると相間に高電圧が発生するため、４相の活線側接続部位３２にわたり短絡用治具４１が装着されて活線側接続部位３２が短絡状態にされる。短絡用治具４１は、４相の活線側接続部位３２のそれぞれに接触して４相の活線側接続部位３２を短絡させる導電体製の一つの短絡部材から構成されている。このため、電流回路に使用されるテストプラグ２１の複数の活線側接続部位３２を簡単にしかも確実に短絡させることができる短絡用治具４１となる。
【００４０】
以下、本発明の短絡用治具を具体的に説明する。
【００４１】
（実施形態１）
図６、図７に基づいて本発明の第１実施形態例に係る短絡用治具４１を説明する。
図６には本発明の第１実施形態例に係る短絡用治具４１の正面視、図７には短絡用治具４１を装着した状態のテストプラグの正面視を示してある。
【００４２】
図に示すように、導電体製（金属製）の一つの短絡部材で構成される短絡用治具４１は、縦方向に並ぶ２相の非活線側接続部位３１に挿入されるＵ字型のＵ字部材４５を２つ備え、Ｕ字部材４５の反開口部４５ａ同士が連結材４６で連結された板状に形成されている。
【００４３】
図７に示すように、反開口部４５ａ同士で互いに連結されたＵ字部材４５を４相の活線側接続部位３２に上から挿入することにより、４相の活線側接続部位３２が短絡された状態になる。
【００４４】
このため、４相の活線側接続部位３２を容易且つ確実に短絡させることが可能になる。
【００４５】
（実施形態２）
図８、図９に基づいて本発明の第２実施形態例に係る短絡用治具５１を説明する。
図８には本発明の第２実施形態例に係る短絡用治具５１の正面視、図９には短絡用治具５１を装着した状態のテストプラグの正面視を示してある。
【００４６】
図に示すように、導電体製（金属製）の一つの短絡部材で構成される短絡用治具５１は、縦方向に並ぶ２相の活線側接続部位３２に挿入されるＵ字型のＵ字部材５２を２つ備え、一方のＵ字部材５２の開口部５２ａと他方のＵ字部材５２の反開口部５２ｂとが連結材５３で連結された板状に形成されている。短絡用治具５１は、開口部５２ａと反開口部５２ｂとが連結されているので、Ｕ字部材５２の開口を任意の向きに指向させることができる。
【００４７】
図９に示すように、開口部５２ａと反開口部５２ｂとが連結材５３で連結されたＵ字部材５２を４相の活線側接続部位３２に上から挿入することにより、４相の活線側接続部位３２が短絡された状態になる。
【００４８】
このため、４相の活線側接続部位３２を位置の誤差を吸収しやすい状態で容易且つ確実に短絡させることが可能になる。
【００４９】
（実施形態３）
図１０、図１１に基づいて本発明の第３実施形態例に係る短絡用治具５５を説明する。
図１０には本発明の第３実施形態例に係る短絡用治具５５の正面視、図１１には短絡用治具５５を装着した状態のテストプラグの正面視を示してある。
【００５０】
図に示すように、導電体製（金属製）の一つの短絡部材で構成される短絡用治具５５は、同一平面内で放射状の４方向に延びる連結棒材５６を備え、各連結棒材５６の先端には４相の活線側接続部位３２にそれぞれ嵌合する嵌合部５７がそれぞれ設けられて板状に形成されている。
【００５１】
短絡用治具５５をテストプラグ２１に装着して連結棒材５６を回動させることにより、嵌合部５７が一斉に４相の活線側接続部位３２に嵌合する。また、連結棒材５６を逆に回動させることにより、嵌合部５７を一斉に４相の活線側接続部位３２から離すことができる。
【００５２】
このため、４相の活線側接続部位３２を容易且つ確実に短絡させることが可能になる。しかも、連結棒材５６を回動させることにより嵌合部５７を一斉に４相の活線側接続部位３２から離すことができるので、短絡用治具５５を装着したまま、短絡状態と非短絡状態とにすることができる。
【００５３】
（実施形態４）
図１２、図１３に基づいて本発明の第４実施形態例に係る短絡用治具６１を説明する。
図１２には本発明の第４実施形態例に係る短絡用治具６１の正面視、図１３には短絡用治具６１を装着した状態のテストプラグの正面視を示してある。
【００５４】
図に示すように、導電体製（金属製）の一つの短絡部材で構成される短絡用治具６１は、一枚の板部材６２で構成され、板部材６２には４相の活線側接続部位３２が貫通する貫通穴６３が設けられている。
【００５５】
図１３（ａ）に示すように、４相の活線側接続部位３２に貫通穴６３を貫通させて板部材６２をテストプラグ２１に装着し、図１３（ｂ）に示すように、板部材６２を面内で移動させることによりにそれぞれの貫通穴６３の内縁を活線側接続部位３２に接触させる。これにより、４相の活線側接続部位３２を短絡させる。
【００５６】
このため、４相の活線側接続部位３２を極めて容易に且つ確実に短絡させることが可能になる。
【００５７】
（実施形態５）
図１４、図１５に基づいて本発明の第５実施形態例に係る短絡用治具６５を説明する。
図１４には本発明の第５実施形態例に係る短絡用治具６５の正面視、図１５には短絡用治具６５を装着した状態のテストプラグの正面視を示してある。
【００５８】
図に示すように、導電体製（金属製）の一つの短絡部材で構成される短絡用治具６５は、３本の棒材６６を備え、棒材６６の端部６６ａ同士が互いに回動自在に接続されている。
【００５９】
図１５に示すように、４相の活線側接続部位３２の上の２相に真ん中の棒材６６を載せ、両側の棒材６６を下側に回動させることにより、棒材６６が活線側接続部位３２の間に配される状態になる。これにより、４相の活線側接続部位３２を短絡させる。
【００６０】
このため、棒材６６同士を回動させることにより、４相の活線側接続部位３２を容易に且つ確実に短絡させることが可能になる。
【００６１】
（実施形態６）
図１６乃至図１８に基づいて本発明の第６実施形態例に係る短絡用治具７１を説明する。
図１６には本発明の第６実施形態例に係る短絡用治具７１の正面視、図１７には伸縮部材の構造説明、図１８には短絡用治具７１を装着した状態のテストプラグの正面視を示してある。
【００６２】
図１６に示すように、短絡用治具７１を構成する一つの短絡部材は、Ｌ字型板材で構成される導電部材７２が４個備えられ、導電部材７２が周状に連続して四角枠状の連続部材７３とされている。連続部材７３の外側は、四角枠状の保持環７４によって保持されている。保持環７４は、４つの伸縮部材７５が絶縁物のＬ字型板材７６で結ばれた四角枠状をなし、伸縮部材７５を伸ばした状態で保持環７４の四隅に導電部材７２を配し、伸縮部材７５を縮めることにより、導電部材７２を周状に連続させる。
【００６３】
図１７（ａ）に示すように、伸縮部材７５は自身が伸縮する構成が可能であり、また、図１７（ｂ）に示すように、２つの部材７５ａ,７５ｂを互いに摺動自在に嵌合させた構成が可能であり、また、図１７（ｃ）に示すように、２つの部材７５ａ,７５ｂを互いに摺動自在に嵌合させてばね７７で縮み方向に付勢した構成が可能である。
【００６４】
図１８（ａ）に示すように、伸縮部材７５を伸ばした状態で保持環７４の四隅に導電部材７２を配してテストプラグ２１に装着し、伸縮部材７５を縮めることにより、導電部材７２を周状に連続させて連続した導電部材７２を４相の活線側接続部位３２にそれぞれ接触させた状態にする。これにより、４相の活線側接続部位３２を短絡させる。
【００６５】
このため、保持環７４によって連続状態にされた導電部材７２を掛け渡すことにより、４相の非活線側接続部位３１を容易に且つ確実に短絡させることが可能になる。
【００６６】
（実施形態７）
図１９に基づいて本発明の第７実施形態例に係る短絡用治具８１を説明する。
図１９には本発明の第７実施形態例に係る短絡用治具８１を装着した状態のテストプラグの正面視を示してある。
【００６７】
短絡用治具８１を構成する短絡部材は、円環状の導電体７８が周方向に弾性変形可能に構成されている。図１９（ａ）に示すように、導電体７８を延び側に弾性変形させてテストプラグ２１に装着し、４相の非活線側接続部位３１にわたって導電体７８を縮み側に弾性変形させることにより、周状の導電体７８を活線側接続部位３２に掛け回して当接させる。これにより、４相の活線側接続部位３２を短絡させる。
【００６８】
このため、周状の導電体７８を弾性変形させて、４相の活線側接続部位３２を容易に且つ確実に短絡させることが可能になる。
【産業上の利用可能性】
【００６９】
本発明は、複数の活線側接続部位を容易に且つ確実に短絡させることができる電流回路の短絡用治具の技術分野で利用することができる。
【図面の簡単な説明】
【００７０】
【図１】テストプラグが装着される前の状態の全体構成を表す断面図である。
【図２】テストプラグが装着されている状態の全体構成を表す断面図である。
【図３】テストプラグの平面図である。
【図４】テストプラグの正面図である。
【図５】電流回路の概略系統図である。
【図６】本発明の第１実施形態例に係る短絡用治具４１の正面図である。
【図７】短絡用治具４１を装着した状態のテストプラグの正面図である。
【図８】本発明の第２実施形態例に係る短絡用治具５１の正面図である。
【図９】短絡用治具５１を装着した状態のテストプラグの正面図である。
【図１０】本発明の第３実施形態例に係る短絡用治具５５の正面図である。
【図１１】短絡用治具５５を装着した状態のテストプラグの正面図である。
【図１２】本発明の第４実施形態例に係る短絡用治具６１の正面図である。
【図１３】短絡用治具６１を装着した状態のテストプラグの正面図である。
【図１４】本発明の第５実施形態例に係る短絡用治具６５の正面図である。
【図１５】短絡用治具６５を装着した状態のテストプラグの正面図である。
【図１６】本発明の第６実施形態例に係る短絡用治具７１の正面図である。
【図１７】伸縮部材の構造説明図である。
【図１８】短絡用治具７１を装着した状態のテストプラグの正面図である。
【図１９】本発明の第７実施形態例に係る短絡用治具８１を装着した状態のテストプラグの正面図である。
【符号の説明】
【００７１】
１  配電盤
２  電流計
３  電流計側端子
４  電源側装置
５  電源側端子
６  電流計側導体
７  電源側導体
１０  絶縁体部材
１１  テスト端子
２１  テストプラグ
２２  支持体
２３  プラグ側端子部
２４  挿入部
２５  絶縁部
２６  非活線側導体
２７  活線側導体
３１  非活線側接続部位
３２  活線側接続部位
３３，３４，３５  ナット
３６  外部回路（検査用電源）
４１，５１，５５，６１，６５，７１，８１  短絡用治具
４５，５２  Ｕ字部材
４６，５３  連結材
５６  連結棒材
５７  嵌合部
６２  板部材
６３  貫通穴
６６  棒材
７２  導電部材
７３  連続部材
７４  保持環
７５  伸縮部材
７８  導電体
【図１】
2006074855.tif 000003
【図２】
2006074855.tif 000004
【図３】
2006074855.tif 000005
【図４】
2006074855.tif 000006
【図５】
2006074855.tif 000007
【図６】
2006074855.tif 000008
【図７】
2006074855.tif 000009
【図８】
2006074855.tif 000010
【図９】
2006074855.tif 000011
【図１０】
2006074855.tif 000012
【図１１】
2006074855.tif 000013
【図１２】
2006074855.tif 000014
【図１３】
2006074855.tif 000015
【図１４】
2006074855.tif 000016
【図１５】
2006074855.tif 000017
【図１６】
2006074855.tif 000018
【図１７】
2006074855.tif 000019
【図１８】
2006074855.tif 000020
【図１９】
2006074855.tif 000021